(57)【要約】【課題】従来の電気掃除機は、継手部に補助吸口を接続して掃除を行った状態、あるいは延長管の種類を複数設けた状態においても発生した静電気を除電することについて配慮がなされていなかった。【解決手段】集塵部を有する掃除機本体と、該掃除機本体と接続されるホースと、一端側に前記ホースと接続されるホース接続部を有し他端側に延長管が接続される延長管接続部を有する継手部を設けた電気掃除機において、前記継手部に静電気を除電させる機能を有する除電部材を設けた。【選択図】図１
2007236426.tif 000002
【特許請求の範囲】
【請求項１】
集塵部を有する掃除機本体と、該掃除機本体と接続されるホースと、一端側に前記ホースと接続されるホース接続部を有し他端側に延長管が接続される延長管接続部を有する継手部を設けた電気掃除機において、
前記継手部に静電気を除電させる機能を有する除電部材を設けたことを特徴とした電気掃除機。
【請求項２】
集塵部を有する掃除機本体と、該掃除機本体と接続されるホースと、一端側に前記ホースと接続されるホース接続部を有し他端側に延長管が接続される延長管接続部を有する継手部を設けた電気掃除機において、
前記継手部と前記延長管とが接続される区間内に静電気を除電させる機能を有する除電部材を設けたことを特徴とした電気掃除機。
【請求項３】
集塵部を有する掃除機本体と、該掃除機本体と接続されるホースと、一端側に前記ホースと接続されるホース接続部を有し他端側に延長管が接続される延長管接続部を有する継手部を設けた電気掃除機において、
前記延長管の端部と当接して気密を保持するための軟質性部材を前記継手部内に配置し、前記軟質性部材は静電気を除電させる機能を有することを特徴とする電気掃除機。
【請求項４】
請求項１乃至３の何れかにおいて、
前記除電部材はアクリロニトリル一硫化銅複合繊維等を用いフェルト状に集合させた繊維体にて構成したことを特徴とする電気掃除機。
【発明の詳細な説明】
【技術分野】
【０００１】
本発明は電気掃除機に関するものである。
【背景技術】
【０００２】
一般に電気掃除機を使用すると、延長管，継手部，ホース及び掃除機本体の一部を構成する集塵部に塵埃が衝突し、これにより静電気が発生する。特に静電気の発生部分が金属材料で構成されている場合、人が触れると大きな電気的ショックを受ける。これは、プラスチック材料に静電気が発生した場合と比べ、静電気の電位が同一であっても、金属材料では導電性を有しており、金属材料に帯電した全電荷が誘導されるためである。
【０００３】
静電気による電気的ショックを防止するために、例えば特許文献１に開示されているように、延長管に導電性の短繊維よりなるフェルト（除電部材）を設け、静電気を空中放電するようにした発明が提案されている。
【０００４】
【特許文献１】特開平１０−５５８９５号公報
【発明の開示】
【発明が解決しようとする課題】
【０００５】
一般的な電気掃除機は、吸口，延長管，継手部を、ホースを介して掃除機本体に接続して使用する。また、掃除する場所によっては、その場所の形態に合わせて付属品である補助吸口を用いて掃除を行う。この補助吸口は、継手部から延長管を外し、継手部に補助吸口を接続する。この補助吸口を用いた状態においても、補助吸口から吸込んだ塵埃が継手部，ホース等に衝突して静電気が発生する。しかしながら、上記特許文献１に記載の発明においては、補助吸口を用いた状態における静電気の対策については配慮がなされていなかった。上記特許文献１に記載の発明では、延長管に除電部材を配置しているので、継手部から延長管を外し、継手部に補助吸口を接続して掃除を行った状態においては、除電部材が存在せず、使用者は静電気による電気的ショックを受ける可能性があった。
【０００６】
また、継手部に接続される延長管を伸縮タイプや継ぎ足すタイプなど複数機種に展開した場合、延長管の種類に合わせて除電部材を取り付けなければならず、生産性が劣るといった欠点があった。
【０００７】
本発明の目的は上記課題を解決し、継手部に補助吸口を接続して掃除を行った状態、あるいは延長管の種類を複数設けた状態においても発生した静電気を除電することが可能な電気掃除機を提供することにある。
【課題を解決するための手段】
【０００８】
上記目的を達成するために本発明の特徴とするところは、集塵部を有する掃除機本体と、該掃除機本体と接続されるホースと、一端側に前記ホースと接続されるホース接続部を有し他端側に延長管が接続される延長管接続部を有する継手部を設けた電気掃除機において、前記継手部に静電気を除電させる機能を有する除電部材を設けたことにある。
【０００９】
また、本発明の特徴とするところは、集塵部を有する掃除機本体と、該掃除機本体と接続されるホースと、一端側に前記ホースと接続されるホース接続部を有し他端側に延長管が接続される延長管接続部を有する継手部を設けた電気掃除機において、前記継手部と前記延長管とが接続される区間内に静電気を除電させる機能を有した除電部材を設けたことにある。
【００１０】
さらに本発明の特徴とするところは、集塵部を有する掃除機本体と、該掃除機本体と接続されるホースと、一端側に前記ホースと接続されるホース接続部を有し他端側に延長管が接続される延長管接続部を有する継手部を設けた電気掃除機において、前記延長管の端部と当接して気密を保持するための軟質性部材を前記継手部内に配置し、前記軟質性部材は静電気を除電させる機能を有することにある。
【発明の効果】
【００１１】
本発明によれば、延長管と接続される継手部に静電気を除電させる機能を有する除電部材を設けたので、継手部から延長管を外して継手部に補助吸口等を接続して掃除を行った場合、あるいは延長管の種類を複数設けた状態においても発生した静電気を除電することができる。
【発明を実施するための最良の形態】
【００１２】
以下、本発明に係る一実施例を図面に基づき説明する。
【実施例１】
【００１３】
図１６は本発明の一実施例に係る電気掃除機の外観斜視図である。
【００１４】
１００は内部に電動送風機，集塵部等を内蔵した掃除機本体、１０１は掃除機本体100に接続されたホース、１０５は一端側がホースと接続され、他端側が延長管と接続される継手部である。１０７は継手部と接続される延長管であり、金属性の材料で構成されている。１１６は延長管に接続された吸口である。
【００１５】
図１及び図２は本発明の一実施例に係る継手部の断面図である。図１及び図２は除電部材の取り付け位置が異なるものであり、図１は除電部材を延長管の表面位置に位置させた状態を示す図であり、図２は除電部材を延長管端部に位置させた状態を示す図である。
【００１６】
図７は本発明の一実施例に係るストッパーリングの上面図、図８は本発明の一実施例に係るストッパーリングの側面図、図９は本発明の一実施例に係るストッパーリングの断面図、図１０は本発明の一実施例に係るストッパーリングの右側面図である。
【００１７】
図１及び図２に示すようにホース１０１の外周には螺旋状の突起１０２が形成されており、Ｌ形状に曲がった継手部１０５の筒状のシールリング１０４と突起１０２とが噛みあうように、シールリング１０４にホース１０１を捻じ込み、このシールリング１０４をホース接続部１０６内に挿入する。その後、図７〜図１０に示すストッパーリング４０１をホース接続部１０６の開口部に配置して継手部１０５の一端側とホース１０１とが抜け無いよう接続している。ストッパーリング４０１にはその両側に爪部４０２が形成されており、この爪部４０２をホース接続部１０６の切欠き部（図示せず）に係合させることにより、ストッパーリング４０１をホース接続部１０６に固定している。
【００１８】
図１において、継手部１０５の他端側には延長管１０７が接続するための延長管接続部１０３が一体に形成されており、この延長管接続部１０３の内部に延長管１０７の一端側を抜き差し可能になっている。２０１は除電部材であり、継手部１０５に設けられた穴に除電フェルト２０２を挿入して除電フェルト２０２を継手部１０５に取り付けている。
３０２は調整リング、３０３は延長管１０７に形成した調整穴であり、調整リング３０２を延長管１０７の周方向に回転させることにより調整穴３０３を開閉し、吸込み力を調整するようにしている。
【００１９】
図２では継手部１０５に延長管１０７を差し込んだ状態において、除電部材２０１を延長管１０７の端部１０８に位置するようにしている。
【００２０】
実使用時はアルミ製の伸縮延長管や継ぎ足して使用する金属パイプ延長管等を継手部
１０５に接続して使用する。
【００２１】
一般的な使用状態では継手部近傍が静電気の電位が高くなる。金属の延長管１０７を延長管接続部１０３に接続した場合、除電部材２０１が継手部１０５の延長管接続部１０３内に設けられていることから延長管１０７の外表面に除電フェルト２０２が接触し、コロナ放電をさせながら空気中に除電することができる。この除電部材２０１の取り付け位置は延長管の嵌合区間範囲ならば同じ効果を保つことができる。除電部材２０１は本実施例では除電フェルト２０２を用いているがゴム体など除電効果を有する部材ならば使用できる。
【００２２】
図３は本発明に係る他の実施例を示すものであり、継手部を直管形状にしたものである。直管継手１０９には、直管継手カバー１２０が配置されて取り付けネジ１１３で直管継手１０９に固定され、把手部１１２を形成している。基本的な作用は前記にて説明した図１と同じである。
【００２３】
図４は本発明に係る他の実施例を示すものである。直管継手１０９の内部には延長管
１０７を接続した時、延長管１０７の端部１０８と当接して空気の漏れを防止する気密パッキン１１４が配置されている。本実施例ではこの気密パッキン１１４を除電の効果を持つ軟質な材料にて形成するようにしている。このため静電気除去の効果を同時に得ることが可能となる。軟質材料としてはゴム類やＥＶＡ（エチレン・酢酸ビニルコポリマー）等を用い界面活性剤を混合した材料を使用してもよい。また、除電部材２０１の表面に界面活性剤を塗布してもよい。気密パッキン１１４は金属製の延長管７０１の端部１０８と当接していることから、挿入力が重くなる事もなくスムーズに抜き差しが出来る効果もある。
【００２４】
図５はストッパーリング４０１に除電部材２０１を設けた箇所の部分拡大図である。ホース１０１が常時除電部材２０１内に位置する除電フェルト２０２に接触する位置関係にあることからホース１０１が回転や屈曲した時も除電効果を保つことが可能となる。通常ではホース１０１が自重で垂れ下がることから使用時には常時４０４除電フェルトに接触しているので除電の効果を有する。また湾曲凸部４０３はホース接続部１０６とホース
１０１の使用時に生じる根元からの急激な屈曲を防ぐこともできる。
【００２５】
図６は図２におけるＡ−Ａ断面図である。継手部１０５内に金属製の延長管１０７が挿入された状態で、継手部１０５の外周の一部にフランジ形状の穴を設け、除電部材２０１を組込んでいる。取り付け方法はどのような構造でもよく、数例を上げると第一に除電部材２０１と継手部１０５を同じ材質とし接着剤等を用いて固定することもできる。さらには超音波溶着等を用い除電部材２０１の外周を溶着することも可能である。また、図示していないが、除電部材２０１を軟質な部材で成形し、外周にリップ形状を一体に形成することにより、取り外しができるよう密着させることも可能となり、交換する必要性が生じた場合などには引き抜くだけで交換可能となる。
【００２６】
また、除電部材２０１にバネ性を持たせるようにすると、延長管１０７の挿入時に挿入力が低減でき、挿入後は常時金属製の延長管１０７側に押す力が加わり接触が良好になることができる。
【００２７】
また、先に説明した図７〜図１０に示すようにストッパーリング４０１に除電フェルト２０２を取り付ける形状を一体に構成しても同じ効果を有することができる。
【００２８】
図１１〜図１５は本発明の一実施例で用いている除電部材２０１の全体を示した図象である。除電フェルト２０２を抜け止めリング２０３と除電部材２０１の間に挟み込み固定している。中央には除電フェルト２０２の位置ずれ防止と組立性を容易にするための突起リブ２０４を一体に設けている。除電部材２０１の外周にはフランジ形状を設けていることからはめ込むことで固定位置も決まり、さらには気密の効果も同時に有することができる。
【００２９】
また、除電フェルト２０２を必ずしも用いる仕様ではなく、除電部材２０１を軟質材料としてゴム類やＥＶＡ（エチレン・酢酸ビニルコポリマー）等を用い界面活性剤を混合した材料を使用し直接金属製の延長管１０７に接触することでも静電気除電の効果を有する。また、除電部材２０１の表面に界面活性剤を塗布してもよい。
【図面の簡単な説明】
【００３０】
【図１】本発明の一実施例に係る継手部仕様の断面図である。
【図２】本発明の一実施例に係る継手部仕様の断面図である。
【図３】本発明の一実施例に係る直管継手仕様の断面図である。
【図４】本発明の一実施例に係る直管継手仕様の断面図である。
【図５】本発明の一実施例に係るホース接続部の部分拡大図である。
【図６】本発明の一実施例に係る図２Ａ−Ａ断面図である。
【図７】本発明の一実施例に係るストッパーリングの上面図である。
【図８】本発明の一実施例に係るストッパーリングの側面図である。
【図９】本発明の一実施例に係るストッパーリングの断面図である。
【図１０】本発明の一実施例に係るストッパーリングの右側面図である。
【図１１】本発明の一実施例に係る除電部材の組図である。
【図１２】本発明の一実施例に係る抜け止めリングの正面図である。
【図１３】本発明の一実施例に係る抜け止めリングの断面図である。
【図１４】本発明の一実施例に係る除電部材の正面図である。
【図１５】本発明の一実施例に係る除電部材の断面図である。
【図１６】本発明の一実施例に係る電気掃除機の外観斜視図である。
【符号の説明】
【００３１】
１０１…ホース、１０２…突起、１０３…延長管接続部、１０４…シールリング、105
…継手部、１０６…ホース接続部、１０７…延長管、１０８…端部、１０９…直管継手、１１０…直管継手ホース接続部、１１２…把手部、１１３…取り付けネジ、１１４…気密パッキン、２０１…除電部材、２０２…除電フェルト、２０３…抜け止めリング、２０４…突起リブ、３０２…調整リング、３０３…調整穴、４０１…ストッパーリング、４０２…爪部、４０３…湾曲凸部。
【図１】
2007236426.tif 000003
【図２】
2007236426.tif 000004
【図３】
2007236426.tif 000005
【図４】
2007236426.tif 000006
【図５】
2007236426.tif 000007
【図６】
2007236426.tif 000008
【図７】
2007236426.tif 000009
【図８】
2007236426.tif 000010
【図９】
2007236426.tif 000011
【図１０】
2007236426.tif 000012
【図１１】
2007236426.tif 000013
【図１２】
2007236426.tif 000014
【図１３】
2007236426.tif 000015
【図１４】
2007236426.tif 000016
【図１５】
2007236426.tif 000017
【図１６】
2007236426.tif 000018